(57)【特許請求の範囲】
【請求項１】
シャフト（12）が貫通して配置され、該シャフト（12）との間に高圧が通過することを防ぐためにハウジング（14）の溝（28）の中に配置されるようになっている、基準軸線（23）を有するバッファシール（18）であって、
前記基準軸線（23）と平行な外側周縁部分（39）と、内側周縁部分（40）と、第１半径方向の面（42）および第２半径方向の面（44）とを有し、前記外側周縁部分に、前記基準軸線に平行な溝（46）が複数個、周方向に間隔をもって形成されている本体部分（36）と、
該本体部分（36）の前記内側周縁部分（40）に接続されたシール部分（38）と、
からなり、前記シール部分（38）は、前記基準軸線（23）に垂直で、前記第１の半径方向の面（42）から軸線方向に離れて該第１の半径方向の面（42）との間にショルダ（56）を形成する第１の面（52）と、前記基準軸線（23）に対し鋭角をなすように方向付けられている第２の面（54）と、を有しており、前記第１及び第２の面（52,54）の間で形成された角度の頂点が前記基準軸線（23）に最も隣接した地点となっており、前記第１の面（52）には、半径方向外向きに延びる溝（60）が複数個、互いに間隔をもって形成されており、
前記本体部分（36）の前記内側周縁部分（40）には、前記第２半径方向の面（44）及び前記シール部分（38）の前記第２の面（54）に隣接する位置に溝（50）が形成されている
ことを特徴とするバッファシール（18）。
【請求項２】
前記第１及び第２の面（52,54）の間で形成された角度の前記頂点は、前記第１および第２の面（52,54）の間の交差点にあることを特徴とする請求項１に記載のバッファシール（18）。
【請求項３】
第３の面（58）が前記第１および第２の面（52,54）の間の前記シール部分（38）に配置されており、該シール部分（38）の前記第１及び第３の面（54,58）の前記交差点は、前記シール部分（38）の前記第１の面（52）にほぼ隣接した位置にあることを特徴とする請求項１に記載のバッファシール（18）。
【請求項４】
溝（50）が、前記第２半径方向の面（44）と前記シール部分（38）の前記第２の面（54）に隣接した場所で、前記本体部分（36）の前記内側周縁部分（40）内に形成されていることを特徴とする請求項１に記載のバッファシール（18）。
【請求項５】
前記シール部分（38）の前記第１面（52）上の前記溝（60）が底部面に関する深さを有し、前記各溝（60）の前記底面が、前記シール部分（38）の前記第２および第３面（54,58）の間の交差点よりも、前記シール部分（38）の前記第１面（52）により形成された平面により近いことを特徴とする請求項１に記載のバッファシール（18）。
【請求項６】
前記第２の半径方向面（44）上に配置された、離間した環状突起リング（48）を含むことを特徴とする請求項１に記載のバッファシーリング。
【請求項７】
バックアップリング（19）と組み合わされており、該バックアップリング（19）は、前記本体部分（36）の前記溝（50）の中に配置されるのに充分な大きさであることを特徴とする請求項１に記載のバッファシール（18）。
【発明の詳細な説明】
技術分野
本発明は、一般的に高圧源と隣接するシール間の高圧を吸収するためのバッファシールに関する。より詳細には、高圧を効率的に吸収し、より大きな耐久性と信頼性とを与えるバッファシールに関する。
本分野の背景
多くの既知のバッファシールは、２方向のシールを行うように、長方形またはほぼ長方形の断面形状を有するウレタンリングを含む。これらのバッファシールは、これらバッファシールと隣接するシールリングとの間に、油圧流体すなわちオイルを捕らえる傾向を有する。この捕らえられた流体すなわちオイルは、ときには、バッファシール及び隣接シールの双方にダメージを与えるのに充分なレベルの圧力に達することがある。別の既知のバッファシールは、シール面後方の溝の中にバックアップ非突出リングを使用しているが、これらの既知のバッファシールのシール面は、バックアップリングと、シールされるべきシャフトとの間の領域に突出する傾向にある。バックアップリングを有する多くの別のシールは、バッファシールを使用することなくシールとシャフトとの間にシールを形成するのに使用されてきた。バッファシールなしに使用される場合、これらの既知のシールは、一般的に高圧な用途に使用される場合に大きさがより嵩張り、シール面にかかる圧力作用を得るように高圧にさらされる大きな面を通常有する。圧力作用の力が高まると、シャフトのオイルフィルムが剥がされ、シャフトまたはシールは、これらの間の摩擦妨害のために摩耗し始める。
本発明は、上述の問題の１つか、２つ以上を解決するものである。
本発明の開示
本発明の１態様において、バッファシールが設けられており、基準軸線を形成する。バッファシールはハウジングの溝の中に配置されており、高圧がバッファシールと、これの間を貫通するように配置されたシャフトとの間を通過しないようになっている。バッファシールは基準軸線と平行である外側周縁部分と、内側周縁部分と、第１の半径方向の面および第２の半径方向の面とを有する本体部分を含む。シール部分は、本体部分の内側周縁部分に接続されている。シール部分は基準軸線に垂直で、第１の半径方向の面から軸線方向に離れて間隔の開いた第１の面を有しており、ショルダを形成するようになっている。第２の面が設けられており、基準軸線に対し鋭角に配向しており、第１および第２の面の間に形成された角度の頂点が、基準軸線にたいしバッファシールの最も隣接した点になっている。
【図面の簡単な説明】
図１は、本発明の実施例を組み入れたシール構造の部分的断面図である。
図２は、シャフトが貫通した状態で示す図１のシール構造部分の部分断面図である。
図３は、矢印がシールのむき出し面に作用する加圧流体の存在を表した状態における図２のシール構造の部分断面図である。
図４は、図１のシール構造の部分断面図からのバッファシールの部分的円周断面図である。
図５は、図１のシール構造の部分断断面図から切断されたバッファシールの別の実施例の拡大断面図である。
本発明を実施するのに最良の形態
図、より詳細には図１，２および３を参照すると、シール構造１０が、軸線方向の可動シャフト１２とハウジング１４との間の加圧流体をシールするのに図示されている。シール構造は、ワイパーシール１６と、バックアップリング１９を有するバッファシール１８と、半径方向リップシール２０と摩耗ストリップ２２とを含む。シャフト１２の中心線は、シール１６，１８，２０、摩耗ストリップ２２及びバックアップリング１９のそれぞれに関する基準線２３として利用する。
ハウジング１４は、端部面２６から内方に延びるこれの一端に形成された凹部２４を有する。第１の溝２８はハウジング内に形成されており、バッファシール１８を受取るような大きさであり、第２の溝３０が中に形成されており、半径方向のリップシール２０を受取るような大きさである。ボア３２がハウジング内に形成されており、摩耗ストリップ２２を受取る。
ワイパーシール１６は、図２に見られるようにワイパーシール１２が左に動くと、シャフト１２からの埃および別の汚れを清浄するように作用する。これは、バッファシール１８が、半径方向リップシール２０または汚染物に曝されることによって損傷を受ける可能性を排除する。半径方向のリップシール２０は、高圧流体を含む流体室３４から流体が漏れることを防ぐように、公知の手段で作用する。
バッファシール１８は流体室３４内の高圧を吸収するように作用する。図３の矢印は、バッファおよび半径方向リップシール１８，２０のそれぞれに作用する圧力をグラフ的に示している。半径方向のリップシール２０が、たとえ高レベルの圧力に耐えなければならないにしても、バッファシール１８は半径方向のリップシール２０よりも大きい急激な圧力レベルを通常受ける。
図１をもう一度参照すると、バッファシール１８は、シャフト１２が取付けられていない弛緩状態を表している。バッファシール１８は、本体部分３６とシール部分３８とを含む。本体部分３６は、外側周縁部分３９と、内側周縁謬分４０と、第１の半径方向の面４２および第２の半径方向の面４４と有する。外側周縁部分３９は、基準軸線２３に対しほぼ平行に向いており、本体部分３６の円周まわりに相互に離間した複数の溝４６を有する。溝４６は、基準軸線２３に対しほぼ平行に向いている。第２の半径方向の面４４は、これの上に配置された複数の環状突出リンク４８を有する。
溝５０は、本体部分３６の内側周縁部分４０の中に形成されており、バックアップリング１９を受取るのに十分な大きさである。溝５０は第２の半径方向の面４４に隣接して配置されている。
シール部分３８は、第１の面５２と第２の面５４とを含む。第１の面５２は、基準軸線23に対し垂直であり、本体部分36と共にショルダ５６を形成するようになっている。第２の面５４は、基準軸２３に対し鋭角を形成し、３０度未満であることが好ましい。第１および第２の面５２，５４の頂点は、バッファシール１８のレストよりも基準軸線２３に最も近接した場所にある。第２の面の他端は溝５０で終了する。
本実施例のシール部分３８は第１の面５２から第２の面５４に延びる第３の面５８も含む。第３の面５８と第２の面５６との交差部分は、垂直方向の第１の面５２にほぼ隣接している。
複数の溝６０がシール部分３８の第１の面５２内に形成されている。複数の溝６０は第１の面５２の面の周りに相互に離間しており、基準軸線２３から半径方向外方に延びている。複数の溝６０のそれぞれの底部は、第２および第３の面５４，５８の交差点よりも第１の面５２によって形成された平面に軸線方向により近いことが好ましい。
図４を参照すると、外側周縁部分３９上の複数の溝４６と、シール部分３８の第１の面５２上の複数の溝６０がより明白に図示されている。
図５を参照すると、バツクアップリップ１９の断面を有するバッファシール１８の別の実施例の拡大断面図が図示されている。バックアップリング１９は図１のバックアップリングと同一である。図１のバッファシール１８と図５のバッファシール１８との間の違いは、シール部分３８が第３の面５８を有しておらず、複数の溝６０が取除かれていることだけである。図５の第１および第２の面５２，５４は第１の面５２の垂直方向の面と一致する２つの面の頂点で交差する。
産業上の利用可能性
本発明のシール構造の作用において、図１のバッファシールと図５のバッファシールは、実質的に同一に機能する。しかし、図１の実施例の第２および第３の面５４，５８の交差点が、図５の実施例の第１及び第２の面５２，５４の交差点に比較すると外方向に突出する傾向が少ない。
図２に示されているように、シャフト１２がシール構造１２を貫通して挿入されると、シャフト１２の外側面がシール構造１０の各シールとシール係合している。シャフト１２が図に図示するように左方向に動くと、ワイパーシール１６はシャフト１２の外面を清浄し、半径方向リップシール２０またはバッファシール１８に汚染物が届かないことを確実にする。
図３に示すように、流体室３４内の加圧流体が、まずバッファシール１８に向けられ、次に、半径方向リップシール２０に向けられる。バックアップリング１９は、シール部分３８が半径方向のリップシール２０の方向に突出しようとする傾向に抵抗するようになっている。ショルダ５６は、加圧流体がシール部分３８をシャフト１２と係合させるように作用できる有孔面積として利用される。
外側外周３９内の複数の溝４６と、シール部分３８の第１面５２内の複数の溝６０および第２の半径方向の面４４上の環状隆起リング４８は、流体室３４内の圧力が減少すると、加圧流体がバッファシール１８と半径方向のリップシール２０との間で捕らわれないことを確実にするように機能する。環状隆起リング４８は、高圧中に第２の面４４と接触するより小さい領域を与えるようになっており、対向側部に作用する圧力によって作られた力が更にかなり集中するようになる。
基準軸線２３に対し好ましくは３０度未満の鋭角でシール部分３８の第２の面５４を有することによって、シール部分３８が外方向に突出する傾向が実質的に取除かれる。バックアップリング１９は、シール部分３８が外方向に突出していないことを更に確実にする。
摩耗ストリップ２２は、摺動摩擦を減少させるために、シャフト１２が摺動できる面を形成するのに使用される。多くの構造において、摩耗ストリップ２２が使用されていなかったり、異なる場所に配置されていないことが理解される。さらに、本発明のバッファシール１８は別のシール構造に関し使用できるし、これ自体でいくつかの用途に使用できる。
【図１】
0004229988.tif 000002
【図２】
0004229988.tif 000003
【図３】
0004229988.tif 000004
【図４】
0004229988.tif 000005
【図５】
0004229988.tif 000006